【手続補正書】
【提出日】平成16年7月7日(2004.7.7)
【手続補正１】
【補正対象書類名】明細書
【補正対象項目名】特許請求の範囲
【補正方法】変更
【補正の内容】
【特許請求の範囲】
【請求項１】
物体側より順に、正屈折力の第１レンズ群、負屈折力の第２レンズ群、正屈折力の第３レンズ群、負屈折力の第４レンズ群、及び、正屈折力の第５レンズ群で構成され、広角端から望遠端への変倍時に、第１レンズ群と第２レンズ群の間隔、及び、第３レンズ群と第４レンズ群の間隔が大きくなり、第２レンズ群と第３レンズ群の間隔、及び、第４レンズ群と第５レンズ群の間隔が小さくなり、前記第３レンズ群又はそのレンズ群内の一部のレンズ群を移動することによって有限遠物体にフォーカスすることを特徴とするズームレンズ。
【請求項２】
物体側より順に、正屈折力の第１レンズ群、負屈折力の第２レンズ群、正屈折力の第３レンズ群、負屈折力の第４レンズ群、及び、正屈折力の第５レンズ群で構成され、広角端から望遠端への変倍時に、第１レンズ群と第２レンズ群の間隔、及び、第３レンズ群と第４レンズ群の間隔が大きくなり、第２レンズ群と第３レンズ群の間隔、及び、第４レンズ群と第５レンズ群の間隔が小さくなり、前記第４レンズ群又はそのレンズ群内の一部のレンズ群を移動することによって有限遠物体にフォーカスすることを特徴とするズームレンズ。
【請求項３】
物体側より順に、正屈折力の第１レンズ群、負屈折力の第２レンズ群、正屈折力の第３レンズ群、負屈折力の第４レンズ群、及び、正屈折力の第５レンズ群で構成され、広角端から望遠端への変倍時に、第１レンズ群と第２レンズ群の間隔、及び、第３レンズ群と第４レンズ群の間隔が大きくなり、第２レンズ群と第３レンズ群の間隔、及び、第４レンズ群と第５レンズ群の間隔が小さくなり、前記第５レンズ群又はそのレンズ群内の一部のレンズ群を移動することによって有限遠物体にフォーカスすることを特徴とするズームレンズ。
【請求項４】
以下の条件式を満足することを特徴とする請求項１記載のズームレンズ。
２．０＜ｆ1 ／ｆW ＜８．０                            ・・・（１）
０．４＜｜ｆ2 ／ｆW ｜＜１．０                        ・・・（２）
０．３＜ｆ3 ／ｆT345＜１．２                          ・・・（３）
０．６＜｜ｆ4 ｜／ｆT345＜５．０                      ・・・（４）
０．５＜ｆ5 ／ｆT345＜４．０                          ・・・（５）
ただし、
ｆW は、広角端における全系の焦点距離
ｆ1 は、第１レンズ群の焦点距離
ｆ2 は、第２レンズ群の焦点距離
ｆ3 は、第３レンズ群の焦点距離
ｆ4 は、第４レンズ群の焦点距離
ｆ5 は、第５レンズ群の焦点距離
ｆT345は、望遠端における第３レンズ群から第５レンズ群までの焦点距離
である。
【請求項５】
広角端の焦点距離が、光学系の結像面又は撮像素子の有効対角線長より短いことを特徴とする請求項１又は４記載のズームレンズ。
【請求項６】
光学系から射出する主光線が以下の条件式に基づいて決められることを特徴とする請求項１、４、５の何れか１項記載のズームレンズ。
１０＜｜ＥｘｐｄW ×Ｙ｜／ＬW                         ・・・（６）
ただし、
ＥｘｐｄW は、結像面位置から射出瞳までの光軸上距離
Ｙは、結像面での実際の最大像高
ＬW は、広角端での第１レンズ群の最も物体側面の頂点から結像面までの光軸上距離
である。
【請求項７】
広角端から望遠端に変倍するときに、以下の関係を満足することを特徴とする請求項１、４、５、６の何れか１項記載のズームレンズ。
１．６＜Δ1T／ｆW ＜５．０                            ・・・（７）
１．０＜Δ3T／ｆW ＜４．０                            ・・・（８）
ただし、
Δ1Tは、広角端基準の第１レンズ群の望遠端までの変倍時の移動量
Δ3Tは、広角端基準の第３レンズ群の望遠端までの変倍時の移動量
である。
【請求項８】
前記第２レンズ群の近軸横倍率が以下の関係を満足することを特徴とする請求項１、４、５、６、７の何れか１項記載のズームレンズ。
２．５＜β2T／β2W＜７                                ・・・（９）
ただし、
β2Wは、第２レンズ群の広角端での結像倍率
β2Tは、第２レンズ群の望遠端での結像倍率
である。
【請求項９】
以下の条件式を満足することを特徴とする請求項２記載のズームレンズ。
２．０＜ｆ1 ／ｆW ＜８．０                            ・・・（１）
０．４＜｜ｆ2 ／ｆW ｜＜１．０                        ・・・（２）
０．３＜ｆ3 ／ｆT345＜１．２                          ・・・（３）
０．６＜｜ｆ4 ｜／ｆT345＜５．０                      ・・・（４）
０．５＜ｆ5 ／ｆT345＜４．０                          ・・・（５）
ただし、
ｆW は、広角端における全系の焦点距離
ｆ1 は、第１レンズ群の焦点距離
ｆ2 は、第２レンズ群の焦点距離
ｆ3 は、第３レンズ群の焦点距離
ｆ4 は、第４レンズ群の焦点距離
ｆ5 は、第５レンズ群の焦点距離
ｆT345は、望遠端における第３レンズ群から第５レンズ群までの焦点距離
である。
【請求項１０】
広角端の焦点距離が、光学系の結像面又は撮像素子の有効対角線長より短いことを特徴とする請求項２又は９記載のズームレンズ。
【請求項１１】
光学系から射出する主光線が以下の条件式に基づいて決められることを特徴とする請求項２、９、１０の何れか１項記載のズームレンズ。
１０＜｜ＥｘｐｄW ×Ｙ｜／ＬW                         ・・・（６）
ただし、
ＥｘｐｄW は、結像面位置から射出瞳までの光軸上距離
Ｙは、結像面での実際の最大像高
ＬW は、広角端での第１レンズ群の最も物体側面の頂点から結像面までの光軸上距離
である。
【請求項１２】
広角端から望遠端に変倍するときに、以下の関係を満足することを特徴とする請求項２、９、１０、１１の何れか１項記載のズームレンズ。
１．６＜Δ1T／ｆW ＜５．０                            ・・・（７）
１．０＜Δ3T／ｆW ＜４．０                            ・・・（８）
ただし、
Δ1Tは、広角端基準の第１レンズ群の望遠端までの変倍時の移動量
Δ3Tは、広角端基準の第３レンズ群の望遠端までの変倍時の移動量
である。
【請求項１３】
前記第２レンズ群の近軸横倍率が以下の関係を満足することを特徴とする請求項２、９、１０、１１、１２の何れか１項記載のズームレンズ。
２．５＜β2T／β2W＜７                                ・・・（９）
ただし、
β2Wは、第２レンズ群の広角端での結像倍率
β2Tは、第２レンズ群の望遠端での結像倍率
である。
【請求項１４】
以下の条件式を満足することを特徴とする請求項３記載のズームレンズ。
２．０＜ｆ1 ／ｆW ＜８．０                            ・・・（１）
０．４＜｜ｆ2 ／ｆW ｜＜１．０                        ・・・（２）
０．３＜ｆ3 ／ｆT345＜１．２                          ・・・（３）
０．６＜｜ｆ4 ｜／ｆT345＜５．０                      ・・・（４）
０．５＜ｆ5 ／ｆT345＜４．０                          ・・・（５）
ただし、
ｆW は、広角端における全系の焦点距離
ｆ1 は、第１レンズ群の焦点距離
ｆ2 は、第２レンズ群の焦点距離
ｆ3 は、第３レンズ群の焦点距離
ｆ4 は、第４レンズ群の焦点距離
ｆ5 は、第５レンズ群の焦点距離
ｆT345は、望遠端における第３レンズ群から第５レンズ群までの焦点距離
である。
【請求項１５】
広角端の焦点距離が、光学系の結像面又は撮像素子の有効対角線長より短いことを特徴とする請求項３又は１４記載のズームレンズ。
【請求項１６】
光学系から射出する主光線が以下の条件式に基づいて決められることを特徴とする請求項３、１４、１５の何れか１項記載のズームレンズ。
１０＜｜ＥｘｐｄW ×Ｙ｜／ＬW                         ・・・（６）
ただし、
ＥｘｐｄW は、結像面位置から射出瞳までの光軸上距離
Ｙは、結像面での実際の最大像高
ＬW は、広角端での第１レンズ群の最も物体側面の頂点から結像面までの光軸上距離
である。
【請求項１７】
広角端から望遠端に変倍するときに、以下の関係を満足することを特徴とする請求項３、１４、１５、１６の何れか１項記載のズームレンズ。
１．６＜Δ1T／ｆW ＜５．０                            ・・・（７）
１．０＜Δ3T／ｆW ＜４．０                            ・・・（８）
ただし、
Δ1Tは、広角端基準の第１レンズ群の望遠端までの変倍時の移動量
Δ3Tは、広角端基準の第３レンズ群の望遠端までの変倍時の移動量
である。
【請求項１８】
前記第２レンズ群の近軸横倍率が以下の関係を満足することを特徴とする請求項３、１４、１５、１６、１７の何れか１項記載のズームレンズ。
２．５＜β2T／β2W＜７                                ・・・（９）
ただし、
β2Wは、第２レンズ群の広角端での結像倍率
β2Tは、第２レンズ群の望遠端での結像倍率
である。
【請求項１９】
前記第１レンズ群は、少なくとも１枚の負レンズと正レンズで構成されていることを特徴とする請求項４、９、１４の何れか１項記載のズームレンズ。
【請求項２０】
前記第１レンズ群は、負レンズと正レンズからなる一組のダブレットと１枚の正レンズで構成されていることを特徴とする請求項１９記載のズームレンズ。
【請求項２１】
前記第２レンズ群は、少なくとも２枚の負レンズと１枚の正レンズで構成されていることを特徴とする請求項４、９、１４、１９、２０の何れか１項記載のズームレンズ。
【請求項２２】
前記第２レンズ群は、物体側から順に、負メニスカスレンズ、両凹負レンズ、正レンズ、負レンズにて構成されていることを特徴とする請求項２１記載のズームレンズ。
【請求項２３】
前記第３レンズ群は、少なくとも１枚の正レンズで構成されていることを特徴とする請求項４、９、１４、１９、２０、２１、２２の何れか１項記載のズームレンズ。
【請求項２４】
前記第３レンズ群は、１枚のみの正レンズで構成されていることを特徴とする請求項２３記載のズームレンズ。
【請求項２５】
前記第４レンズ群は、少なくとも１枚の負レンズで構成されていることを特徴とする請求項４、９、１４、１９、２０、２１、２２、２３、２４の何れか１項記載のズームレンズ。
【請求項２６】
前記第４レンズ群は、１枚のみの負レンズで構成されていることを特徴とする請求項２５記載のズームレンズ。
【請求項２７】
前記第５レンズ群は、少なくとも１枚の正レンズと１枚の負レンズで構成されていることを特徴とする請求項４、９、１４、１９、２０、２１、２２、２３、２４、２５、２６の何れか１項記載のズームレンズ。
【請求項２８】
前記第５レンズ群は、物体側から順に、正レンズと負レンズのダブレットと正レンズにて構成されていることを特徴とする請求項２６記載のズームレンズ。
【手続補正２】
【補正対象書類名】明細書
【補正対象項目名】００６１
【補正方法】変更
【補正の内容】
【００６１】
第５レンズ群は、少なくとも１枚の正レンズと１枚の負レンズの接合レンズ又は空気分離型ダブレットと正レンズで構成することが望ましい。